(57)【要約】  APは、他と異なる8ビット値を生成し、EDMG BSS AIDを形成するように16ビットAIDフィールドの8つの最上位ビット（MSB）を埋めることができる。ビームフォーミングは、複数のショート・セクタ・スイープ（SSW）・フレームを、アンテナセクタのうちの対応するアンテナセクタを使用して他方の局に順に送信するステップと、複数のショートSSWフレームを他方の局から順に受信するステップであって、ショートSSWフレームが、受信側アドレス関連付けID（RA AID）および送信側アドレス関連付けID（TA AID）を指定するアドレス指定フィールドフォーマットを有する、ステップとを含む、セクタ・レベル・スイープ（SLS）・プロセスを局が行うステップを含むことができる。他と異なる8ビット値はAP AIDとして使用することができる。
2019516305.tif 000002
【特許請求の範囲】
【請求項１】
複数のアンテナセクタを有する第1の局と第2の局との間のビームフォーミングの方法であって、プロセスが、
前記アンテナセクタのうちの対応するアンテナセクタを使用して第1の複数のショート・セクタ・スイープ（SSW）・フレームを前記第2の局に順に送信するステップと、第2の複数のショートSSWフレームを前記第2の局から順に受信するステップであって、前記第2のショートSSWフレームが、受信側アドレス関連付けID（RA AID）および送信側アドレス関連付けID（TA AID）を指定するアドレス指定フィールドフォーマットを有する、ステップと、を含むセクタ・レベル・スイープ（SLS）・プロセスを、前記第1の局が行うステップ
を含む、方法。
【請求項２】
受信する前記ステップに続いて、前記RA AIDおよび前記TA AIDのうちの1つと前記局の以前に帰属したAIDとの比較に基づいて前記第2の局の前記AIDを決定するステップ、をさらに含む、請求項1に記載の方法。
【請求項３】
前記第1の局が非AP局であり、前記第2の局も非AP局であり、前記第1の局と前記第2の局の両方が基本サービスセット（BSS）においてAP局に関連付けられる、請求項1に記載の方法。
【請求項４】
前記RA AIDおよび前記TA AIDが各々8ビットを有し、前記ショートSSWフォーマットにおいて相互に隣接し合う、請求項1に記載の方法。
【請求項５】
前記第1の局がユーザ機器であり、前記第2の局がAPであり、前記方法が、前記SLSプロセスを行うステップの前に、前記ユーザ機器が、前記アクセスポイント（AP）との関連付け時に局アドレス関連付けID（STA AID）を受信し、前記SLSプロセスの所与のステップの間に、前記ユーザ機器が受信側かそれとも送信側かにそれぞれ応じて、前記STA AIDを前記RA AIDまたは前記TA AIDとして使用するステップ、をさらに含む、請求項1に記載の方法。
【請求項６】
前記ユーザ機器（UE）が前記関連付け時にAPアドレス関連付けID（AP AID）を受信し、前記APと前記SLSプロセスを行うときに前記AP AIDを前記RA AIDおよび前記TA AIDの他方として使用するステップをさらに含む、請求項5に記載の方法。
【請求項７】
前記UEが前記AP AIDをEDMG能力情報要素内のEDMG BSS AIDの形で受信する、請求項6に記載の方法。
【請求項８】
前記UEが前記AP AIDを前記STA AIDの8ビットフィールドに直接隣接して設けられた8ビットフィールドで受信する、請求項6に記載の方法。
【請求項９】
前記UEが前記AP AIDを前記APとの関連付けの間に受信する、請求項6に記載の方法。
【請求項１０】
前記UEが前記AP AIDをビームフォーミングの間に受信する、請求項6に記載の方法。
【請求項１１】
前記UEが前記AP AIDをビーコン伝送間隔の間に受信する、請求項9に記載の方法。
【請求項１２】
前記第1の局がアクセスポイント（AP）であり、前記SLSプロセスを行うステップの前に、前記APが前記AP自体に他と異なるアドレス関連付けID（AP AID）を割り当て、前記SLSプロセスの所与のステップの間に、前記APが受信側かそれとも送信側かにそれぞれ応じて、前記AP AIDを前記RA AIDまたは前記TA AIDとして使用するステップ、をさらに含む、請求項1に記載の方法。
【請求項１３】
前記APが前記AP AIDをランダムに生成し、前記AP AIDをメモリの前記AP AIDのフィールドに格納するステップをさらに含む、請求項12に記載の方法。
【請求項１４】
前記APがハッシュ方式を使用して前記AP AIDを生成し、前記AP AIDをメモリの前記AP AIDのフィールドに格納するステップをさらに含む、請求項12に記載の方法。
【請求項１５】
前記ハッシュ方式が前記APのBSS IDに基づくカラーリング方式である、請求項14に記載の方法。
【請求項１６】
前記APがメモリの前記AP AIDのフィールドのBSS IDの他と異なる部分をコピーするステップをさらに含む、請求項12に記載の方法。
【請求項１７】
前記SLSを行う前に、前記APが前記第2の局にアドレス関連付けID（STA AID）を割り当て、前記AP AIDおよび前記STA AIDを他方の局に16ビットAIDフィールドフォーマットの隣接するフィールドとして伝えるステップをさらに含む、請求項12に記載の方法。
【請求項１８】
前記SLSを行う前に、前記APが前記第2の局にアドレス関連付けID（STA AID）を割り当て、前記AP AIDを他方の局に伝えるステップ、をさらに含み、前記APが、前記他方の局とSLSを行うときに、STA AIDを前記RA AIDおよび前記TA AIDの他方として使用するステップ、をさらに含む、請求項12に記載の方法。
【請求項１９】
前記第2の局がショートSSWフレーム能力で使用可能であるとさらに判断し、他方の局との前記SLSプロセスのために非ショートSSWフレームフォーマットではなくショートSSWフレームフォーマットを選択する、請求項1に記載の方法。
【請求項２０】
前記第1の局がEDMG局であり、前記第2の局においてショートSSWフレーム能力を使用可能にするかどうかが、前記第2の局がEDMG局であるかどうかを条件とする、請求項19に記載の方法。
【請求項２１】
前記ショートSSWフレームフォーマットが6バイトを有し、順に、パケットタイプの2ビット、RA AIDの8ビット、TA AIDの8ビット、CDOWNの11ビット、RFチェーンIDの2ビット、ショートSSWフィードバックの11ビット、方向の1ビット、1ビットの予約、およびFCSに4ビットを含む、請求項1に記載の方法。
【請求項２２】
ビームフォーミングのための第1の局であって、
プロセッサと、
送受信機と、
複数のアンテナセクタを有する前記第1の局と第2の局との間のビームフォーミングを実行するためのコンピュータ可読命令を有するメモリであって、前記コンピュータ可読命令が、
前記アンテナセクタのうちの対応するアンテナセクタを使用して第1の複数のショート・セクタ・スイープ（SSW）・フレームを前記第2の局に順に送信するステップと、
前記第1の局が、第2の複数の前記ショートSSWフレームを前記第2の局から順に受信するステップであって、前記第2のショートSSWフレームが、受信側アドレス関連付けID（RA AID）および送信側アドレス関連付けID（TA AID）を指定するアドレス指定フィールドフォーマットを有する、ステップと
を含むセクタ・レベル・スイープ（SLS）・プロセスを前記第1の局が行うステップ、
を含む、メモリと
を含む、第1の局。
【発明の詳細な説明】
【技術分野】
【０００１】
関連出願の相互参照
本特許出願は、参照によりその全体が複写されたのと同様に本明細書に組み込まれる、2016年4月15日に出願された、「SHORT SSW FRAME FORMAT FOR SLS BEAMFORMING PROCESS BETWEEN ENABLED，ASSOCIATED STATIONS」という名称の米国特許出願第62／323070号の優先権を主張するものである。本特許出願は、参照によりその全体が複写されたのと同様に本明細書に組み込まれる、2016年5月3日に出願された、「SHORT SSW FRAME FORMAT FOR SLS BEAMFORMING PROCESS BETWEEN ENABLED，ASSOCIATED STATIONS」という名称の米国特許出願第62／331113号の優先権を主張するものである。本特許出願は、参照によりその全体が複写されたのと同様に本明細書に組み込まれる、2016年11月28日に出願された、「SHORT SSW FRAME FORMAT FOR SLS BEAMFORMING PROCESS BETWEEN ENABLED，ASSOCIATED STATIONS」という名称の米国特許出願第15／361717号の優先権を主張するものである。
【０００２】
本発明の改善は、一般に、無線通信ネットワークの分野に関し、より具体的には、60GHzミリ波帯における指向性通信プロトコルに関する。
【背景技術】
【０００３】
無線LANなどの無線通信ネットワークは、ネットワーク対応局（network−enabled station（STA））に、アクセスポイント（AP）を介して無線で通信することによってネットワークにアクセスさせることができる。アクセスポイント（AP）は、通常、STAとも考えられる。
【０００４】
規格設定機関は、様々な製造者のデバイスが相互に通信するための規格を提供する。
【０００５】
IEEE802．11規格は、ローカル・エリア・ネットワークにおける無線接続を規定する。IEEE802．11は、基本サービスセット（basic service set（BSS））10を、図1に示すように、1つまたは複数の関連付けられたSTA（associated STA（A−STA））14、14’を有する単一のAP12からなるものとして指定する。STA20の一例が図2に図示されており、1つまたは複数のプロセッサ22と、メモリ24と、1つまたは複数の無線機26とを有し、各無線機26は、通常、送信機28と、受信機30と、1つまたは複数のアンテナとを有することが分かる。
【０００６】
したがって、各STA14、14’は、一意にアドレス指定可能な媒体アクセス制御（medium access control（MAC））および無線媒体（wireless medium（WM））への物理層（physical layer（PHY））インターフェースを有しうる。IEEEは、使用可能なSTA14とAP12とを関連付けて、使用可能なSTA14を関連付けられたSTA（A−STA）にするように機能する仕様を含む。このプロセスの間に、IEEE802．11は、MACフレームヘッダの受信側アドレス（receiver address（RA））および送信側アドレス（transmitter address（TA））を定義する。IEEEはまた、範囲が重複しているBSS（OBSSと呼ぶこともできる、図示せず）を扱うための仕様も含む。
【０００７】
より具体的には、IEEE802．11adと呼ばれる修正IEEE802．11ad−2012が、全世界的にライセンス不要な帯域であり、よってローカル・エリア・ネットワーク（LAN）で使用することが可能な、60GHz「ミリメートル」波帯域における無線の使用に対応している。特に、60GHz帯域における通信は、指向性であり、強く減衰する（短距離）が、ケーブル接続（イーサネット(登録商標)など）に取って代わり、マルチギガビット伝送速度を提供するための強力な潜在能力を有するものと認められている。
【０００８】
IEEE802．11adの下では、局間の無線通信はビーコン間隔（beacon interval（BI））40と呼ばれうるフォーマットを有する。図3にBI40を示す。BI40は、一般に、ビーコン伝送間隔（beacon transmission interval（BTI））42、関連付けビームフォーミング訓練（associating beamforming training（A−BFT））44、およびデータ伝送間隔（data transmission interval（DTI））46を含むことが分かる。BTI42は、AP発見目的に、より具体的には、AP側セクタスイープ送信アンテナのビームフォーミング訓練目的に使用される。A−BFT44は、主にSTA側セクタスイープ送信アンテナのビームフォーミング訓練目的に使用することができる。DTI46は、さらなるビームフォーミング訓練とデータ通信とに使用することができる。BI40は、例えば、DTI46の直前に発生しうる、告知伝送間隔（announcement transmission interval（ATI））（図示せず）などの追加の間隔をさらに含むことができる。
【０００９】
IEEE802．11adの下では、STA14、14’を指向性マルチギガビット（DMG）STAと呼ぶことができ、ビーコンをDMGビーコンと呼ぶことができる。IEEE802．11adの下では、AP12は、パーソナルBSS（personal BSS（PBSS））制御点（PBSS control point（PCP））とも呼ばれる。本明細書では両方の表現を区別なく使用する。
【００１０】
DMG通信は、通常、複数のアンテナセクタを有するSTAを伴う。異なるアンテナセクタは、異なる方向で異なる性能を提供する。IEEE802．11adは、指向性リンクを必要なリンクバジェットを満たすように「訓練する」ためのプロセスを指すビームフォーミング（beamforming（BF））仕様を含む。これらの仕様は、図4に示すようなセクタ・レベル・スイープ（sector level sweep（SLS））・プロセス50を含む。SLS50を開始する局をイニシエータと呼び、他方の局をレスポンダと呼ぶ。SLS50の間に、満足のいく組み合わせを見つけるために、イニシエータ・アンテナ・セクタとレスポンダ・アンテナ・セクタとの異なる組み合わせが試される。より具体的には、SLSの第1フェーズでは、セクタ・スイープ（sector sweep（SSW））・フレーム52（代替としてBFフレームとも呼ばれる）が、イニシエータアンテナの異なるセクタによって順次に発せられる。SLSの第1フェーズは、例えば、BI40のビーコン伝送間隔（BTI）42部分の間に行うことができる。
【００１１】
SLS50の第2フェーズでは、レスポンダは、その異なるアンテナセクタを介して順次にSSWフレーム54を送信する。レスポンダによって発せられたSSWフレーム54は、イニシエータの異なるセクタから受信された信号の強度に関するフィードバックを含む。SLS50の第2フェーズは、例えば、BI40のA−BFT44またはDTI46の間に行うことができる。
【００１２】
第3フェーズでは、イニシエータはレスポンダにSSWフィードバック（SSW−FB）56を送信することができる。SSW−FBは、レスポンダの異なるアンテナセクタから受信された信号の強度と、選択されたセクタおよびアンテナとを指示する。
【００１３】
第4フェーズでは、レスポンダは、SSW−FBの受信確認58を送信することができる。SLSプロセス50は、効率的な指向性通信を使用可能にするように機能するセクタの組み合わせを決定することができる。
【００１４】
SLSプロセス50の後には、通常、所与のセクタ組み合わせの最適なパラメータを見つけようと探索することができるビーム改良手順（beam refinement procedure（BRP））が続く。データ転送中にビームトラッキングを行って信号品質を検査し、修正しようと試みることができる。802．11adの8．3．1．16で定義された標準SSWフレーム60が図5に示されており、26バイトを有する。
【００１５】
SSWフレーム60は、SLS50の間にイニシエータとレスポンダの両方によって繰り返し使用されるので、フィールドの側（すなわちビット数）は帯域幅使用に直接関連する。したがって、SSWフレームフォーマット60は、その機性を維持しながらサイズが制限され、規格の最終的な進化にある程度まで見合うものであることが望ましい。IEEE802．11adの場合、AP12がイニシエータであり、関連付けられたSTA14がレスポンダである場合、SSWフレーム60のいくつかのフィールドは未使用のままであった。よって改善の余地が残っていた。
【００１６】
「Short SSW Format for 11ay」と題された文書IEEE802．11−16／0416−01−00が2016年3月14日に提出された。この文書の提出は、11adを基礎として発展させることを目指した11ay修正のコンテキストで行われた。この文書では、11ad標準SSWフレーム60の代わりに使用できるショートSSWフレーム65能力を、両方の局がそれをサポートすると判断される場合に設けることを提案している。11ayの下では、エンハンストDMG（enhanced DMG（EDMG））物理層（PHY）プロトコル・データ・ユニット（PHY protocol data unit（PPDU））を送受信することができる無線送信機を有するSTA12、14、14’が提供される。したがって、このショートSSWフレーム能力は、SLSが行われる両方のSTAがEDMG STAであることを必要としうる。この文書で提案されたショートSSWフォーマット65が図6に示されており、6バイトを有する。ショートSSWフレームフォーマット案65は、いくつかのフィールドが圧縮または除去された標準SSWフレームフォーマット60として説明することができる。
【００１７】
実際、非ショートSSWフレームフォーマット60は、受信側アドレス62（48ビット）および送信側アドレス64（48ビット）を含む。ショートSSWフレームフォーマット案65は、非ショートSSWフレームフォーマット60の96ビットを置き換える16ビットのアドレス指定フィールド66を含む。この提案は、ショートSSWフォーマットのアドレス指定フィールドフォーマット66を定義するものではないことに気付くであろう。
【００１８】
60GHz帯域に関する既存のプロトコルおよび提出文書はある程度まで満足のいくものであったが、改善の余地が残っている。
【発明の概要】
【課題を解決するための手段】
【００１９】
一態様によれば、11ayにおけるショートSSWフレームフォーマットのアドレス指定フィールドフォーマットが提供される。アドレス指定フィールドフォーマット68は図7に示されており、8ビットの送信側アドレス関連付けID（transmitter address association ID（TA AID））に隣接した8ビットの受信側アドレス関連付けID（receiver address association ID（RA AID））の使用を指定する。アドレス指定フィールドフォーマット68は、文書IEEE802．11−16／0416−01−00で提案されたショートSSWフレームフォーマット65の16ビットアドレス指定フィールド66を埋めるのに使用することができる。
【００２０】
少なくともいくつかのシナリオでは、アドレス指定フィールドフォーマット68は、例えば、ハッシュ方式を使用して16ビットフィールドを埋める場合と比較して衝突の確率を低減させることができる。
【００２１】
11adの下では、APのAIDは0に設定された。STAのAIDはAPによって割り当てられ、APからSTAに（例えば、関連付けプロセスの間に）伝えることができた。STA AIDは、例えば、BTIの間に能力情報要素を介して伝えることもできた。能力情報要素70の一例が図8Aに示されている。能力情報要素70の一例は、合計16ビットの関連付けID（AID）フィールド72を有することが分かる。この関連付けIDフィールド72は、A−STA AIDフィールドとして使用するためのものであった。16ビットAIDフィールド72のうちの8つのLSB74のみがこのために使用され、8つのMSB76はEDMGのために確保され、0に設定された。いくつかの代替のシナリオでは、STA AIDを動作情報要素で伝えることも可能である。
【００２２】
重複するBSS（OBSS）でSLSを行う場合、すべてのAP AIDが同じである（例えば、0に設定されている）シナリオと関連付けられる所与のフォールスポジティブの確率があった。少なくともいくつかのシナリオでは、各APに他と異なるAIDを割り当てることによって、このフォールスポジティブの確率を低減させることができることが分かった。
【００２３】
別の態様によれば、他と異なる関連付けIDをAPに使用するための方法が提供される。この関連付けIDは他と異なりうる。より具体的には、AIDは、所与のOBSSで動作するすべてのAPについて同じではない少なくとも1つの有意な確率を有することによって他と異なりうる。このように、例えば、すべてのAPが同じAIDを有するシナリオと比較して、OBSSで動作する場合のフォールスポジティブの確率を低減させることができる。本方法は、APに、AP自体に他と異なるAIDを割り当てるよう指示するステップを含むことができる。例えば、本プロセスは、APにAIDを生成させ、そのAIDをAPのメモリ内の所与のフィールドに格納するステップを伴いうる。AP AIDは、ランダムに生成することもでき、例えば、カラーリング方式を使用して生成することもできる。あるいは、AP AIDとして使用するために既存のIDの他と異なる部分をコピーすることもできる。例えば、BSS IDの48ビットの他と異なる部分、例えば、8つのMSBや8つのLSBを、AP AIDとして使用するためにコピーすることもできる。AP AIDは、無線媒体上でAP AIDからSTAに伝えることができる。STAはAPからAP AIDを受信し、それをSTAのメモリに格納することができる。
【００２４】
少なくともいくつかのシナリオでは、AP AIDの8ビットを16ビットAIDフィールドの8つのMSBとして含めることによってAPからSTAに他と異なるAP AIDを伝えることが可能であることが分かった。例えば、AP AIDを、図8Bに示す能力情報要素80の16ビットAIDフィールド82の8つのMSBとして含めることができる。したがって、能力情報要素70は、AP AIDを含むように変更することができる。そのようなシナリオでは、AP AIDをEDMG BSS AID78と呼ぶことができ、少なくともいくつかの実施形態では両方の表現が区別なく使用されうる。言い換えると、SLSで使用するためのAP AIDを、SLS以外の任意の適切な用途を含めて、EDMG BSS AIDとして使用することができる。さらに、そのようなシナリオでは、能力情報要素を、例えば、EDMG能力情報要素80と呼ぶこともできる。いくつかのシナリオでは、別の要素、例えば、動作情報要素のフィールドで他と異なるAP AIDを伝えることも可能である。
【００２５】
EDMG能力情報要素80は、例えば、BIのATIまたはDTIの間にAPからSTAに送信することができる。EDMG BSS AID78は、例えば、それをビーコンの一部にすることによって、関連付けプロセスの間にAPが別のSTAに伝えることができる。EDMG BSS AID78は、STAのAID74と一緒に別のSTAに伝えることができる。これは、例えば、AP AID／EDMG BSS AID78の16ビットAIDフィールドの8つのMSBおよびSTA AID74の16ビットAIDフィールドの8つのLSBを使用して行うことができる。いくつかの実施形態では、適切であると判明した場合には、16ビットAIDフィールドを能力情報要素とは別個の管理フレームでAPからSTAに伝えることができる。
【００２６】
使用時に、16ビットAIDフィールドフォーマットのこれら8つのMSBを、APのメモリにおいてAPによって、たいていは非ゼロ値に埋め、後でAPが使用することができる。STAはAPからEDMG BSS AIDを受信し、それをSTAのメモリに格納することができる。次いでSTAは、EDMG BSS AIDをSLSの間にAP AIDとして、または他の用途に使用することができる。EDMG BSS AIDは、非ゼロとすることができ、OBSSで動作するときのフォールスポジティブの確率を低減させるように設定することができる。EDMG BSS AIDは、APによってランダムに生成された、またはカラーリング方式もしくは別の適切な方式を使用してAPによって生成された、または、例えばBSS IDなどの既存のIDの他と異なる部分をコピーすることによってAPによって定義された他と異なる値とすることができる。AP AIDをEDMG BSS AIDとして使用することもでき、その逆も可能であり、いくつかの実施形態では両方の表現が等価されうる。
【００２７】
一態様によれば、プロセッサと、メモリと、無線機とを有する局が提供される。本局は、セクタ・レベル・スイープ・プロセス（SLS）を使用した別の局とのビームフォーミングに使用可能である。SLSプロセスは、アンテナセクタの異なる組み合わせを使用して他方の局との間でセクタ・スイープ（SSW）・フレームを送受信することを含む。局は、前記SSWフレームとしてショートSSWフレームを使用することができる。ショートSSWデータフレームは、受信側アドレス関連付けID（RA AID）および送信側アドレス関連付けID（TA AID）を指定するアドレス指定フィールドフォーマットを有する。
【００２８】
RA AIDおよびTA AIDは、各々、8ビットを有することができ、ショートSSWフレームにおいて相互に隣接し合うことができる。
【００２９】
本局は、ユーザ機器（UE）とすることができ、UEは、アクセスポイント（AP）との関連付け時にアドレス関連付けID（STA AID）を受信し、SLSプロセスの所与のステップの間に、UEが受信側かそれとも送信側かにそれぞれ応じて、STA AIDをRA AIDおよびTA AIDの一方として使用するように構成される。
【００３０】
UEは、前記アクセスポイントとの前記関連付け時にAPアドレス関連付けID（AP AID）を受信し、APとSLSプロセスを行うときにAP AIDをRA AIDまたはTA AIDの他方として使用するようにさらに構成することができる。
【００３１】
ユーザ機器は、モバイル機器とすることができる。
【００３２】
本局は、アクセスポイント（AP）とすることができ、APは、AP自体に他と異なるAPアドレス関連付けID（AP AID）を割り当て、その他と異なるAP AIDを伝え、SLSプロセスの所与のステップの間に、APが受信側かそれとも送信側かにそれぞれ応じて、AP AIDをRA AIDまたはTA AIDとして使用するように構成される。
【００３３】
AP AIDは、APがランダムに生成することができる。
【００３４】
AP AIDは、ハッシュ方式を使用してAPが生成することができる。
【００３５】
ハッシュ方式は、APのBSS IDに基づくカラーリング方式とすることができる。
【００３６】
APは、AP AIDを、APのBSS AIDの8つのMSBとして格納するように構成することができる。
【００３７】
APは、関連付けのプロセスの間に、アドレス関連付けID（STA AID）を他方の局に割り当て、関連付けのプロセスの間に、AP AIDを他方の局に伝え、他方の局とSLSを行うときにSTA AIDをRA AIDおよびTA AIDの他方として使用するように構成することができる。
【００３８】
本局は、非ショートSSWフレームを前記SSWデータフレームとして使用するように構成することができ、前記ショートSSWフレームを使用するかどうかは、他方の局がショートSSWフレーム能力を有するかどうかを条件とすることができる。
【００３９】
本局は、EDMG局とすることができ、他方の局においてショートSSWフレーム能力を使用可能にするかどうかは、他方の局がEDMG局として機能できるかどうかを条件とすることができる。
【００４０】
ショートSSWフレームフォーマットは6バイトを有し、順に、パケットタイプの2ビット、RA AIDの8ビット、TA AIDの8ビット、CDOWNの11ビット、RFチェーンIDの2ビット、ショートSSWフィードバックの11ビット、方向の1ビット、1ビットの予約、およびFCSに4ビットを含む。
【００４１】
別の態様によれば、複数のアンテナセクタを有する局と別の局との間のビームフォーミングのプロセスが提供される。局はセクタ・レベル・スイープ（SLS）・プロセスを行う。SLSプロセスは、複数のショート・セクタ・スイープ（SSW）・フレームを、対応するアンテナセクタを使用して他方の局に順に送信するステップを含む。SLSプロセスはまた、複数のショートSSWフレームを他方の局から順に受信するステップも含む。ショートSSWフレームは、受信側アドレス関連付けID（RA AID）および送信側アドレス関連付けID（TA AID）を指定するアドレス指定フィールドフォーマットを有する。
【００４２】
本プロセスは、上述した受信するステップに続いて、RA AIDおよびTA AIDのうちの1つと局の以前に帰属したAIDとの比較に基づいて他方の局のAIDを決定するステップをさらに含むことができる。
【００４３】
局は、非AP局とすることができ、他方の局も非AP局とすることができ、非AP局と他方の非AP局の両方が基本サービスセット（BSS）においてAP局と関連付けられる。
【００４４】
RA AIDおよびTA AIDは各々8ビットを有し、ショートSSWフォーマットにおいて相互に隣接し合う。
【００４５】
局は、ユーザ機器とすることができ、他方の局はAPとすることができる。本プロセスは、SLSプロセスを行う前に、ユーザ機器が、アクセスポイント（AP）との関連付け時に局アドレス関連付けID（STA AID）を受信し、SLSプロセスの所与のステップの間に、ユーザ機器が受信側かそれとも送信側かにそれぞれ応じて、STA AIDをRA AIDまたはTA AIDとして使用するステップ、さらに含むことができる。
【００４６】
本プロセスは、ユーザ機器が前記関連付け時にAPアドレス関連付けID（AP AID）を受信し、APとSLSプロセスを行うときに、必要に応じて、AP AIDをRA AIDまたはTA AIDとして使用するステップをさらに含むことができる。
【００４７】
他方の局は、AP AIDを、EDMG能力情報要素内のEDMG BSS AIDの形で受信することができる。
【００４８】
他方の局は、AP AIDを、STA AIDの8ビットフィールドに直接隣接して設けられた8ビットフィールドで受信することができる。
【００４９】
他方の局は、AP AIDを、APとの関連付けの間に受信することができる。
【００５０】
他方の局は、AP AIDを、ビームフォーミングの間に受信することができる。
【００５１】
他方の局は、AP AIDを、ビーコン伝送間隔の間に受信することができる。
【００５２】
局は、アクセスポイント（AP）とすることができる。本プロセスは、SLSプロセスを行う前に、APがAP自体に他と異なるアドレス関連付けID（AP AID）を割り当て、SLSプロセスの所与のステップの間に、APが受信側かそれとも送信側かに応じて、AP AIDをRA AIDまたはTA AIDとして使用するステップをさらに含むことができる。
【００５３】
本プロセスは、APがAP AIDをランダムに生成し、AP AIDをメモリのAP AIDのフィールドに格納するステップをさらに含むことができる。
【００５４】
本プロセスは、APがハッシュ方式を使用してAP AIDを生成し、AP AIDをメモリのAP AIDのフィールドに格納するステップをさらに含むことができる。
【００５５】
ハッシュ方式は、APのBSS IDに基づくカラーリング方式とすることができる。
【００５６】
本プロセスは、APがメモリのAP AIDのフィールドのBSS IDの他と異なる部分をコピーするステップをさらに含むことができる。
【００５７】
本プロセスは、SLSを行う前に、APが他方の局にアドレス関連付けID（STA AID）を割り当て、AP AIDを他方の局に伝えるステップをさらに含むことができる。本プロセスは、APが、他方の局とSLSを行うときに、必要に応じて、STA AIDをRA AIDまたはTA AIDとして使用するステップをさらに含むことができる。
【００５８】
本プロセスは、他方の局をショートSSWフレーム能力で使用可能とすることができるとさらに判断し、他方の局とSLSプロセスを行うために非ショートSSWフレームフォーマットではなくショートSSWフレームフォーマットを選択することができる。
【００５９】
局は、EDMG局とすることができ、他方の局においてショートSSWフレーム能力を使用可能にするかどうかは、他方の局もEDMG局でありうるかどうかを条件とすることができる。
【００６０】
ショートSSWフレームフォーマットは6バイトを有することができ、順に、パケットタイプの2ビット、RA AIDの8ビット、TA AIDの8ビット、CDOWNの11ビット、RFチェーンIDの2ビット、ショートSSWフィードバックの11ビット、方向の1ビット、1ビットの予約、およびFCSに4ビットを含む。
【００６１】
一態様によれば、アクセスポイント（AP）と別の局との間の通信を準備するプロセスが提供され、APはメモリに格納された16ビット関連付けID（AID）フィールドを有し、16ビットAIDフィールドの8つの最下位ビット（LSB）は他方の局のAID（STA AID）として使用するためのものであり、本プロセスは、APが16ビットAIDフィールドの8つの最上位ビット（MSB）を他と異なる8ビット値で埋めるステップ、を含む。
【００６２】
16ビットAIDフィールドの8つのMSBを埋めるステップは、AP AIDの他と異なる値にゼロ値を編集するステップを含むことができる。
【００６３】
本プロセスは、APがAP AIDの他と異なる8ビット値をランダムに生成するステップをさらに含むことができる。
【００６４】
本プロセスは、APがハッシュ方式を使用してAP AIDの8ビット値を生成するステップをさらに含むことができる。
【００６５】
ハッシュ方式は、BSS IDに基づくカラーリング方式とすることができる。
【００６６】
16ビットAIDフィールドの8つのMSBを埋めるステップは、メモリに格納された48ビット基本サービスセットIDの他と異なる連続した8ビット部分をコピーするステップを含む。
【００６７】
本プロセスは、APが16ビットAIDフィールドを他方の局に伝えるステップをさらに含むことができる。
【００６８】
伝えるステップは、他方の局をBSSに関連付けるステップのコンテキストにおいて行うことができる。
【００６９】
伝えるステップは、ビーコン伝送間隔のコンテキストにおいて行うことができる。
【００７０】
伝えるステップは、16ビットAIDフィールドを局アドレス関連付けID（STA AID）と一緒に伝えるステップを含むことができる。
【００７１】
伝えるステップは、16ビットAIDフィールドをEDMG能力情報要素で伝えるステップを含むことができる。
【００７２】
EDMG能力情報要素は、要素IDの1バイト、長さの1バイト、STAアドレスの6バイト、EDBG BSS AIDの1バイト、AIDの1バイト、EDMG STA能力情報の8バイト、およびEDMG PCP／AP能力情報の2バイトを有しうる。
【００７３】
伝えるステップは、16ビットAIDフィールドをDMGビーコン上で伝えるステップを含むことができる。
【００７４】
伝えるステップは、16ビットAIDフィールドを関連付けまたは再関連付け応答フレーム（Association or Reassociation Response Frame）で伝えるステップを含むことができる。
【００７５】
伝えるステップは、16ビットAIDフィールドを許可受信確認フレーム（Grant Acknowledgement Frame）で伝えるステップを含むことができる。
【００７６】
伝えるステップは、16ビットAIDフィールドをプローブ応答フレーム（Probe Response Frame）で伝えるステップを含むことができる。
【００７７】
伝えるステップは、16ビットAIDフィールドを情報要素で伝えるステップを含むことができる。
【００７８】
情報要素は、拡張スケジューリング要素（Extended Scheduling Element）、マルチBSSID要素（Multiple BSSID Element）、非送信BSSID能力要素（Nontransmitted BSSID capability element）、および／またはDMG BSSパラメータ変更要素（DMG BSS Parameter Change element）とすることができる。
【００７９】
伝えるステップは、16ビットAIDフィールドを管理フレームに含めることによって伝えるステップを含むことができる。
【００８０】
本プロセスは、アンテナセクタのうちの対応するアンテナセクタを使用して複数のショート・セクタ・スイープ（SSW）・フレームを他方の局に順に送信するステップと、複数のショートSSWフレームを他方の局から順に受信するステップであって、ショートSSWフレームが、受信側アドレス関連付けID（RA AID）および送信側アドレス関連付けID（TA AID）を指定するアドレス指定フィールドフォーマットを有する、ステップと、を含むセクタ・レベル・スイープ（SLS）・プロセスをAPが行うステップと、APが、SLSプロセスの所与のステップの間に、APが受信側かそれとも送信側かにそれぞれ応じて、EDMG BSS AIDをRA AIDまたはTA AIDとして使用するステップと、をさらに含むことができる。
【００８１】
本プロセスは、SLSを行う前に、APが他方の局にアドレス関連付けID（STA AID）を割り当て、AP AIDを他方の局に伝えるステップをさらに含むことができる。
【００８２】
本プロセスは、APが、他方の局とSLSを行うときに、必要に応じて、STA AIDをRA AIDまたはTA AIDとして使用するステップをさらに含むことができる。
【００８３】
一態様によれば、アクセスポイント（AP）と別の局との間の通信を準備するプロセスが提供される。本プロセスにおいて、APはメモリに格納された16ビット関連付けIDフィールドを有し、16ビットAIDフィールドの8つの最下位ビット（LSB）は他方の局のAID（STA AID）として使用するための他と異なる値である。さらに、16ビットAIDフィールドの8つの最上位ビット（MSB）はAPのAID（AP AID）として使用するための他と異なる8ビット値である。本プロセスは、他方の局がAPから16ビットAIDフィールドを受信するステップを含みうる。
【００８４】
他方の局は、16ビットAIDを、EDMG能力情報要素で受信することができる。AP AIDは、EDMG能力情報要素内のEDMG BSS AIDの形で提供することができる。
【００８５】
他方の局は、16ビットAIDを、APとの関連付けのコンテキストにおいて受信することができる。
【００８６】
他方の局は、16ビットAIDを、ビームフォーミングの間に受信することができる。
【００８７】
他方の局は、16ビットAIDを、ビーコン伝送間隔の間に受信することができる。
【００８８】
本開示を読めば当業者には本発明の改善に関する多くのさらなる特徴およびそれらの組み合わせが明らかになるであろう。
【図面の簡単な説明】
【００８９】
【図１】先行技術による基本サービスセット（BSS）を示す概略図である。
【図２】先行技術による、図1のBSSにおいて関連付けられた局またはアクセスポイント局としての用途に使用可能とすることができる局の概略図である。
【図３】先行技術による、BSSの局間の無線通信で使用できるビーコン間隔フォーマットの概略図である。
【図４】先行技術による、BSS内で無線通信する2つの局間のビームフォーミングに使用できるセクタ・レベル・スイープ（SLS）・プロセスの概略図である。
【図５】先行技術による、IEEE802．11adの下で定義されたSLSで使用するためのセクタ・スイープ（SSW）・フレーム・フォーマットを示す概略図である。
【図６】未指定のアドレス指定フィールドフォーマットを有する、先行技術によるショートSSWフレームフォーマット案を示す概略図である。
【図７】IEEE802．11ayの下で使用するための、デュアルAIDアドレス指定フィールドフォーマットを有するショートSSWフレームフォーマットの概略図である。
【図８Ａ】能力情報要素の例を示す図である。
【図８Ｂ】APからA−STAにAP AIDを伝えるのに使用される能力情報要素の例を示す図である。
【図９Ａ】ハッシュアドレス指定フィールドフォーマットを示す、様々な数の1BSSあたりの局を有する様々な数の重複するBSSについてのフォールスポジティブの確率の計算を記載した表である。
【図９Ｂ】デュアルAIDアドレス指定フィールドフォーマットを示す、様々な数の1BSSあたりの局を有する様々な数の重複するBSSについてのフォールスポジティブの確率の計算を記載した表である。
【図１０Ａ】図9Aおよび図9Bの表の値をグラフ形式で示す図である。
【図１０Ｂ】図9Aおよび図9Bの表の値をグラフ形式で示す図である。
【図１０Ｃ】図9Aおよび図9Bの表の値をグラフ形式で示す図である。
【図１０Ｄ】図9Aおよび図9Bの表の値をグラフ形式で示す図である。
【図１１Ａ】ハッシュアドレス指定フィールドフォーマットの復号順序を示す図である。
【図１１Ｂ】デュアルAIDアドレス指定フィールドフォーマットの復号順序を示す図である。
【発明を実施するための形態】
【００９０】
図1に、2つ以上の局（STA）12、14、14’を有しうる基本サービスセット（BSS）10の一例を示す。STA12、STA14、STA14’は、例えば、指向性マルチギガビット（DMG）無線通信のために、60GHz帯域で相互に無線通信することができる。図1の局12、14、14’のうちの1つはアクセスポイント（AP）12であり、802．11adの下では代替としてPBSS制御点（PCP）と呼ぶこともできる。その他の局は非AP STA14、14’である。
【００９１】
BSS10内の他の局12、14’との通信を許される前に、非AP STA14は、AP12との関連付けプロセス、すなわち、非AP STA14が関連付けID（AID）を割り当てられるプロセスを行わなければならない。いくつかの実施形態では、AP12は、永続的に関連付けられる。したがって、SLSが開始されるときにAPは必ずしもAIDを有していない。AP12は、以下で詳述するように、AP自体にAIDを割り当てるように構成することができる。
【００９２】
非AP STA14、14’は異なる形態を取ることができ、まとめてユーザ機器（UE）と記載されており、ラップトップ、タブレット、またはスマートフォンやPDAなどのハンドヘルドデバイスといったモバイル機器とすることができる。非AP STA14、14’はまた、腕時計、テレビ、ビデオゲーム機、コントローラ、インテリジェント・ロック・システム、またはモノのインターネット（IoT）の分野の他のデバイスなどの接続されたオブジェクトとすることもできる。関連付けされると、非AP STA14、14’は、AP12を介してインターネット16にアクセスすることができ、または、例えば、相互に通信し、ネットワークを形成することが可能になる。
【００９３】
図2に、無線での通信に使用可能な局20の一例を示す。局20は一般に、1つまたは複数のプロセッサ22と、メモリ24と、1つまたは複数の無線機システム26とを有する。無線機システムは、通常、1つまたは複数のアンテナ32に接続された送信機サブシステム28と受信機サブシステム30とを含む。通常、60GHz帯域での直接マルチギガビット（DMG）無線通信に使用可能な局は、複数のアンテナセクタを有し、無線接続はビームフォーミングプロセスによって訓練される。
【００９４】
IEEE802．11adの下では、ビームフォーミングプロセスは、2つの通信する局が好都合なアンテナセクタの組み合わせを選択することを可能にする、図4に示すセクタ・レベル・スイープ・プロセス（SLS）50を含む。2つの局の一方はイニシエータとして動作し、レスポンダとして動作する他方の局によって受信されるセクタ・スイープ（SSW）・フレーム52のシーケンスの送信を開始する。この初期フェーズの後、レスポンダは、イニシエータによって受信されるSSWフレームのシーケンス54を送信する。多くの場合、APはイニシエータとして動作するが、常にそうであるとは限らない。SLSはBSS内の他の組み合わせの局間でも開始されうる。
【００９５】
APまたは非AP局は、そのメモリ24に適切なコンピュータ可読命令を格納していることによって、ショートSSWフレームSLSに使用可能とすることができる。コンピュータ可読命令は、プロセッサ22により実行可能とすることができ、SSWフレーム60を生成するなどのSLSプロセス50のステップを行うためのMAC仕様およびPHY仕様を含むことができる。コンピュータ可読命令は、ショートSSWフレームフォーマット69のアドレス指定フィールドフォーマット68を含むことができる。
【００９６】
ショートSSWフレーム69は、局の一方または両方が大規模なアレイアンテナ構成を有する用途では特に有用となりうる。802．11ayの下では、局は、802．11adのSSWフレーム60を使用できる能力を保持し、明確にするためにここでは802．11adのSSWフレーム60を非ショートSSWフレームと呼ぶ。ショートSSWフレーム69を使用できるか否かの判断は、局12、14、14’が行うことができ、両方のデバイスがショートSSWに対応しているか否かなどの要因を条件としうる。特に、エンハンストDMG（EDMG）局を802．11ayの下でのショートSSWフレームに使用可能とすることができる。
【００９７】
アドレス指定フィールドフォーマットの選択における課題の1つは、重複する基本サービスセット（OBSS）環境のコンテキストにおいてフォールスポジティブの確率（衝突の可能性）を扱うことである。
【００９８】
ショートSSWフレームフォーマット69のコンテキストで使用するために提案されるアドレス指定フィールドフォーマット68が図7に示されている。アドレス指定フィールドフォーマット68は、受信側アドレスAID（RA AID）71および送信側アドレスAID（TA AID）73を含む、2つの通信する局のAIDを、SLS50の間にRA AIDおよびTA AIDで使用することができる。例えば、SLSの所与のフェーズの間に、イニシエータが受信側かそれとも送信側かに応じて、イニシエータのAIDをRA AIDまたはTA AIDで使用することができる。アドレス指定フィールドフォーマットは合計16ビットを有することができ、RA AIDとTA AIDはどちらも8ビットを有し、相互に隣接することができる。この実施形態では、RA AIDは16ビットのアドレス指定フィールドフォーマット68の8つのMSBであり、TA AIDは16ビットのアドレス指定フィールドフォーマット68の8つのLSBである。
【００９９】
AP12が受信側または送信側であり、AIDを有しない場合、AP12は、SLSプロセス50が行われる前にAP自体にAIDを割り当てることができる。
【０１００】
（P）BSS内のフォールスポジティブの確率は、1組のランダムに選ばれた人々の中に誕生日が同じ2人がいるという確率理論で周知の例である、「誕生日問題」に基づくものすることができる。実際、この確率は以下の基づくものとすることができる。
【数１】
2019516305.tif 000003
【０１０１】
式中、nは1BSS当たりのSTAの数を表し、Hは2mであり、mはビット数を表す。
【０１０２】
レンマ1：1BSSあたりのSTAの数が等しいOBSSのハッシュアドレスについての、OBSS（b≧2）におけるフォールスポジティブの確率は、以下として計算される。
p（n，b，H）≒（（b＊n）2−（（b−1＊n）2）／（2H）＝（2b−1）＊n2／2H    （2）
【０１０３】
式中、bはBSS、すなわち、OBSSの数を表す。
【０１０４】
レンマ2：STAの数が等しいOBSS内のデュアルAID計算のフォールスポジティブは、以下のとおりである。
p（n，b，H）≒（b−1）＊n2／H    （3）
【０１０５】
パケット誤り率（PER）＜10−2と等価であるp＜1％が良好なフォールスポジティブ率であると仮定する。
【０１０６】
上記に基づくフォールスポジティブ計算を、i）RA AIDおよびTA AIDアドレス指定方式（16ビットデュアルAID方式）と、ii）ハッシュアドレス方式とについて行った。ハッシュアドレス方式はA（16ビット）：＝CRC16（RA（48ビット）｜｜TA（48ビット））であり、AはショートSSWフレームにおけるアドレス指定フィールドを表し、RAとTAはどちらも11adのSSWフレーム内で固有のアドレス指定フィールドを表し、CRC16はCRC16−CCITTを表す。
【０１０７】
計算の結果が、ハッシュアドレス指定方式については図9Aの表に、16ビットデュアルAID方式については図9Bの表に示されており、表においてnはSTAの数を表し、bは重複するBSSの数を表す。これらの結果が図10A〜図10Dに示すグラフにプロットされており、16ビットデュアルAID方式の方がハッシュアドレス方式より好ましいことが分かる。その差は、低密度OBSSのシナリオと1BSSあたりの局密度が高いシナリオとにおいて特に大きい。
【０１０８】
アドレス指定方式の選択は復号効率にも影響を及ぼしうる。実際、ハッシュアドレス方式での復号シーケンスの例80が図11Aに示されており、デュアルAID方式での復号シーケンスの例90が図11Bに示されている。ハッシュアドレス方式80はハッシングおよびマッチング82により多くの時間を要し（N回繰り返すの囲み）、時間計算量は、一般に、MACアドレスのリストのサイズO（N）に線形依存しうる。デュアルAID方式の復号シーケンス90は、比較的簡単明瞭であり、時間がより短くてすむ。デュアルAID方式90では、識別を行うために追加検証手順92をさらに使用することができる。例えば、RA AIDフィールドおよびTA AIDフィールド以外のフィールド（例えばBSS IDなど）を検査することができる。
【０１０９】
APは、AP自体に固定AIDを割り当てるように命令することができる。例えば、11adでは、以下の規則でAPによる関連付けIDの割り当てを規定することができる。
STA14、STA14’に1〜254を割り当てる。
AP12に0を割り当てる。
ブロードキャストアドレスに255を割り当てる。
【０１１０】
本実施形態では、AP AIDが0に固定されており、OBSSで動作している場合、AP AIDのフォールスポジティブの確率が非ゼロであることが理解されるであろう。実際、上述した計算を16ビットコンテキストの代わりに8ビットコンテキストに適応させることによって、そのようなコンテキストでのフォールスポジティブの確率の指示を得ることができる。
【０１１１】
少なくともいくつかのシナリオでは、他と異なるAP AIDを割り当てることによって、後者のフォールスポジティブの確率を低減させることができることが分かった。APのAIDは、OBSS内の他のAPのAIDと異なる確率を有する場合に「他と異なり」うる。他と異なるAP AIDは、各AP AIDが、OBSS内の異なるAP間で異なる適切に高い確率を有するように割り当てることができる。他と異なるAP AIDは、非ゼロである比較的高い確率（例えば、0．5より上）を有しうる。例えば、APに、AP自体にランダムなAIDを割り当てるよう命令することができる。あるいは、APに、例えば、カラーリング方式などのハッシュ方式に基づいて、AP自体にAIDを割り当てるよう命令することもできる。カラーリング方式は、例えば、BSS ID（48ビット）に基づくものとすることができる。
【０１１２】
さらに別の実施形態では、APに、例えば、BSS IDの8つのMSBや8つのLSBなど、既存の値の連続したビットの特定の他と異なる部分をAP AIDとして使用するよう命令することもできる。これら後者の例の各々では、AP AIDを、すべてのAP AIDがゼロに設定されるシナリオなどの固定AIDのシナリオと比較して、他と異なるAP AIDとみなすことができる。実際、これにより、OBSS内の2つ以上のAPに同じAIDを生成する確率が著しく低下し、よって、OBSSにおける衝突のリスクを低減させることができる。
【０１１３】
APによって生成されたそのような値には、ショートSSWのコンテキストにおいて上述した用途に加えて他の用途もありうることが分かった。例えば、DMGでは、AIDフィールドの16ビットを有する能力情報要素70をSTA AIDに使用することもできた。しかし、STA AIDには8つのLSBだけが使用され、8つのMSBはEDMGのために確保されていた。AIDフィールドのこの8つのMSBを、図8Bに示すようにAP AIDの他と異なる値で埋めることによって利用することができ、このコンテキストではこれをEDMG BSS AID78と呼ぶことができる。STAによって受信された後、EDMG BSS AID78を任意の適切な用途に使用することができ、この用途はショートSSWフレームフォーマット以外とすることができる。
【０１１４】
EDMG BSS AIDに非ゼロ値を割り当てるようAPに指示することが有用でありうることが分かった。また、OBSS内の他のAPのEDMG BSS AIDと異なる確率が高い非ゼロのEDMG BSS AIDを使用することが有用でありうることも分かった。ショートSSWのAP AIDとしても、任意の他の適切な用途のEDMG BSS AIDとしても使用できる単一の値をAPに生成させることが有用となりうる。現在の規格の下では、これらの値はどちらも8ビットを有する。このEDMG BSS AID／AP AIDを、STAの関連付けのプロセスの間に、または、例えば、任意の他の適切な時点でAPからSTAに伝えることができる。したがって、上述したショートSSWのコンテキストで使用されるAP AIDを、EDMG BSS AIDと呼ぶことができる。
【０１１５】
したがって、EDMG BSS AIDは、APがランダムに（例えば、擬似ランダムに）生成することもでき、他と異なる値とすることもできる。EDMG BSS AID値を16ビットAIDフィールド82の8つのMSBに記入することができる。APに、16ビットAIDフィールドの8つのMSBを他と異なるEDMG BSS AID78値で埋めるよう指示することができる。
【０１１６】
A−STAは、ショートSSW SLSを開始するときに、EDMG BSS AIDを、ショートSSWフレームフォーマットにおいてAP AID（すなわち、RA AIDまたはTA AID）として使用することができる。より具体的には、A−STAは、アドレス指定フィールド68を例えば16ビットAIDフィールド82で埋めることによってショートSSWフレームを構築することができる。
【０１１７】
あるいは、EDMG BSS AIDの他と異なる値を、STAが、例えば、SLSの間にAP AIDとして使用するのではなく、SLS以外の用途に使用することもできる。
【０１１８】
AP AID／EDMG BSS AIDをAPからSTAに伝えるための様々な方法がある。第1の例は、図8Bに示す例のように、AP AIDをEDMG能力情報要素80の一部として含めることである。EDMG能力情報要素80は、例えば、BTI42のコンテキストでは、DMGビーコン上で添付する（例えば、「ピギーバック」する）こともできる。
【０１１９】
AP AID／EDMG BSS AIDを伝える他の可能な方法の例には以下が含まれうる。
a）DMGビーコン上で他の方法で送信する方法。
b）関連付けまたは再関連付け応答フレーム（AP AID／EDMG BSS AIDを、例えば、EDMG能力情報要素82や別の要素に含めることができる管理フレーム）による方法。
c）許可受信確認フレーム（管理フレーム）による方法。
d）プローブ応答フレーム（管理フレーム）による方法。
e）拡張スケジューリング要素（拡張スケジューリング要素は、任意の適切な管理フレームにピギーバックできる情報要素である）による方法。
f）マルチBSSID要素（マルチBSSID要素は、任意の適切な管理フレームにピギーバックできる情報要素である）による方法。
g）非送信BSSID能力要素（任意の適切な管理フレームにピギーバックできる別の情報要素）による方法。
h）DMG BSSパラメータ変更要素（任意の適切な管理フレームにピギーバックできるさらに別の情報要素）による方法。
【０１２０】
図11Bに戻って、デュアルAID方式の復号順序90は、任意選択で、追加検証手順92を含むこともできる。追加検証手順92は、衝突の確率をさらに低減させるために使用することができる。追加検証手順92は、例えばショートSSWフィードバックフィールド75（図7）の使用を含むことができる。追加検証手順92は、さらなるランダム性の提供を含むことができる。例えば、イニシエータ・セクタ・スイープ（ISS）、またはユニキャストフレームの間に、ショートSSWフィードバックフィールド75を、短縮したBSS IDの10ビットの検証のために確保することができる。より一般的には、ショートSSWフィードバックフィールド75が使用されていなかった場合、それを本開示のコンテキストでは、セクタID、BSS ID情報などといった他の情報を追加するのに使用することができる。
【０１２１】
理解できるように、上述し、図示した例は例示のためのものにすぎない。本発明の範囲は添付お特許請求の範囲によって指示される。
【符号の説明】
【０１２２】
10  基本サービスセット
12  アクセスポイント（AP）、局
14  関連付けられたSTA、局
14’  関連付けられたSTA、局
16  インターネット
20  局
22  プロセッサ
24  メモリ
26  無線機、無線機システム
28  送信機、送信機サブシステム
30  受信機、受信機サブシステム
32  アンテナ
40  ビーコン間隔（BI）
42  ビーコン伝送間隔（BTI）
44  関連付けビームフォーミング訓練（A−BFT）
46  データ伝送間隔（DTI）
50  セクタ・レベル・スイープ（SLS）・プロセス
52  セクタ・スイープ（SSW）・フレーム
54  SSWフレーム
56  SSWフィードバック（SSW−FB）
58  SSW−FBの受信確認
60  標準SSWフレーム、SSWフレームフォーマット、非ショートSSWフレームフォーマット
62  受信側アドレス
64  送信側アドレス
65  ショートSSWフレーム、ショートSSWフレームフォーマット、ショートSSWフレームフォーマット案、ショートSSWフォーマット
66  アドレス指定フィールド、アドレス指定フィールドフォーマット
68  アドレス指定フィールド、アドレス指定フィールドフォーマット
69  ショートSSWフレーム、ショートSSWフレームフォーマット
70  能力情報要素
71  受信側アドレスAID（RA AID）
72  関連付けIDフィールド
73  送信側アドレスAID（TA AID）
74  STA AID
75  ショートSSWフィードバックフィールド
76  MSB
78  EDMG BSS AID
80  EDMG能力情報要素、ハッシュアドレス方式
82  EDMG能力情報要素、16ビットAIDフィールド
90  デュアルAID方式の復号順序
92  追加検証手順
【図１】
2019516305.tif 000004
【図２】
2019516305.tif 000005
【図３】
2019516305.tif 000006
【図４】
2019516305.tif 000007
【図５】
2019516305.tif 000008
【図６】
2019516305.tif 000009
【図７】
2019516305.tif 000010
【図８Ａ】
2019516305.tif 000011
【図８Ｂ】
2019516305.tif 000012
【図９Ａ】
2019516305.tif 000013
【図９Ｂ】
2019516305.tif 000014
【図１０Ａ】
2019516305.tif 000015
【図１０Ｂ】
2019516305.tif 000016
【図１０Ｃ】
2019516305.tif 000017
【図１０Ｄ】
2019516305.tif 000018
【図１１Ａ】
2019516305.tif 000019
【図１１Ｂ】
2019516305.tif 000020
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
複数のアンテナセクタを有する第1の局と第2の局との間のビームフォーミングの方法であって、プロセスが、
前記アンテナセクタのうちの対応するアンテナセクタを使用して第1の複数のショート・セクタ・スイープ（SSW）・フレームを前記第2の局に順に送信するステップと、第2の複数のショートSSWフレームを前記第2の局から順に受信するステップであって、前記第2の複数のショートSSWフレームが、受信側アドレス関連付けID（RA AID）および送信側アドレス関連付けID（TA AID）を指定するアドレス指定フィールドフォーマットを有する、ステップと、を含むセクタ・レベル・スイープ（SLS）・プロセスを、前記第1の局が行うステップ
を含み、
前記第2の複数のショートSSWフレームの前記アドレス指定フィールドフォーマットが、送信側アドレスの長さと受信側アドレスの長さとの和より短い長さを有する、方法。
【請求項２】
前記第2の複数のショートSSWフレームの前記アドレス指定フィールドフォーマットの前記長さが、前記送信側アドレスの前記長さまたは前記受信側アドレスの前記長さより短い、請求項1に記載の方法。
【請求項３】
前記RA AIDおよび前記TA AIDが各々8ビットを有し、前記ショートSSWフォーマットにおいて相互に隣接し合う、請求項1に記載の方法。
【請求項４】
前記ショートSSWフレームフォーマットが6バイトを有し、順に、パケットタイプの2ビット、RA AIDの8ビット、TA AIDの8ビット、CDOWNの11ビット、RFチェーンIDの2ビット、ショートSSWフィードバックの11ビット、方向の1ビット、1ビットの予約、およびFCSに4ビットを含む、請求項1に記載の方法。
【請求項５】
受信する前記ステップに続いて、前記RA AIDおよび前記TA AIDのうちの1つと前記局の以前に帰属したAIDとの比較に基づいて前記第2の局の前記AIDを決定するステップ、をさらに含む、請求項1に記載の方法。
【請求項６】
前記第2の局がショートSSWフレーム能力で使用可能であるとさらに判断し、他方の局との前記SLSプロセスのために非ショートSSWフレームフォーマットではなくショートSSWフレームフォーマットを選択する、請求項1に記載の方法。
【請求項７】
前記第1の局がEDMG局であり、前記第2の局においてショートSSWフレーム能力を使用可能にするかどうかが、前記第2の局がEDMG局であるかどうかを条件とする、請求項6に記載の方法。
【請求項８】
前記第1の局が非AP局であり、前記第2の局も非AP局であり、前記第1の局と前記第2の局の両方が基本サービスセット（BSS）においてAP局に関連付けられる、請求項1に記載の方法。
【請求項９】
前記第1の局がユーザ機器であり、前記第2の局がAPであり、前記方法が、前記SLSプロセスを行うステップの前に、前記ユーザ機器が、前記アクセスポイント（AP）との関連付け時に局アドレス関連付けID（STA AID）を受信し、前記SLSプロセスの所与のステップの間に、前記ユーザ機器が受信側かそれとも送信側かにそれぞれ応じて、前記STA AIDを前記RA AIDまたは前記TA AIDとして使用するステップ、をさらに含む、請求項1に記載の方法。
【請求項１０】
前記ユーザ機器（UE）が前記関連付け時にAPアドレス関連付けID（AP AID）を受信し、前記APと前記SLSプロセスを行うときに前記AP AIDを前記RA AIDおよび前記TA AIDの他方として使用するステップをさらに含む、請求項9に記載の方法。
【請求項１１】
前記UEが前記AP AIDをEDMG能力情報要素内のEDMG BSS AIDの形で受信する、請求項10に記載の方法。
【請求項１２】
前記UEが前記AP AIDを前記STA AIDの8ビットフィールドに直接隣接して設けられた8ビットフィールドで受信する、請求項10に記載の方法。
【請求項１３】
前記UEが前記AP AIDを前記APとの関連付けの間に受信する、請求項10に記載の方法。
【請求項１４】
前記UEが前記AP AIDをビームフォーミングの間に受信する、請求項10に記載の方法。
【請求項１５】
前記UEが前記AP AIDをビーコン伝送間隔の間に受信する、請求項13に記載の方法。
【請求項１６】
前記第1の局がアクセスポイント（AP）であり、前記SLSプロセスを行うステップの前に、前記APが前記AP自体に他と異なるアドレス関連付けID（AP AID）を割り当て、前記SLSプロセスの所与のステップの間に、前記APが受信側かそれとも送信側かにそれぞれ応じて、前記AP AIDを前記RA AIDまたは前記TA AIDとして使用するステップ、をさらに含む、請求項1に記載の方法。
【請求項１７】
前記APが前記AP AIDをランダムに生成し、前記AP AIDをメモリの前記AP AIDのフィールドに格納するステップをさらに含む、請求項16に記載の方法。
【請求項１８】
前記APがハッシュ方式を使用して前記AP AIDを生成し、前記AP AIDをメモリの前記AP AIDのフィールドに格納するステップをさらに含む、請求項16に記載の方法。
【請求項１９】
前記ハッシュ方式が前記APのBSS IDに基づくカラーリング方式である、請求項18に記載の方法。
【請求項２０】
前記APがメモリの前記AP AIDのフィールドのBSS IDの他と異なる部分をコピーするステップをさらに含む、請求項16に記載の方法。
【請求項２１】
前記SLSを行う前に、前記APが前記第2の局にアドレス関連付けID（STA AID）を割り当て、前記AP AIDおよび前記STA AIDを他方の局に16ビットAIDフィールドフォーマットの隣接するフィールドとして伝えるステップをさらに含む、請求項16に記載の方法。
【請求項２２】
前記SLSを行う前に、前記APが前記第2の局にアドレス関連付けID（STA AID）を割り当て、前記AP AIDを他方の局に伝えるステップ、をさらに含み、前記APが、前記他方の局とSLSを行うときに、STA AIDを前記RA AIDおよび前記TA AIDの他方として使用するステップ、をさらに含む、請求項16に記載の方法。
【請求項２３】
ビームフォーミングのための第1の局であって、
プロセッサと、
送受信機と、
複数のアンテナセクタを有する前記第1の局と第2の局との間のビームフォーミングを実行するためのコンピュータ可読命令を有するメモリであって、前記コンピュータ可読命令が、
前記アンテナセクタのうちの対応するアンテナセクタを使用して第1の複数のショート・セクタ・スイープ（SSW）・フレームを前記第2の局に順に送信するステップと、
前記第1の局が、第2の複数の前記ショートSSWフレームを前記第2の局から順に受信するステップであって、前記第2の複数のショートSSWフレームが、受信側アドレス関連付けID（RA AID）および送信側アドレス関連付けID（TA AID）を指定するアドレス指定フィールドフォーマットを有する、ステップと
を含むセクタ・レベル・スイープ（SLS）・プロセスを前記第1の局が行うステップ、
を含む、メモリと
を含み、
前記第2の複数のショートSSWフレームの前記アドレス指定フィールドフォーマットが、送信側アドレスの長さと受信側アドレスの長さとの和より短い長さを有する、第1の局。
【請求項２４】
前記第2の複数のショートSSWフレームの前記アドレス指定フィールドフォーマットの前記長さが、前記送信側アドレスの前記長さまたは前記受信側アドレスの前記長さより短い、請求項23に記載の第1の局。
【請求項２５】
前記RA AIDおよび前記TA AIDが各々8ビットを有し、前記ショートSSWフォーマットにおいて相互に隣接し合う、請求項23に記載の第1の局。
【請求項２６】
前記ショートSSWフレームフォーマットが6バイトを有し、順に、パケットタイプの2ビット、RA AIDの8ビット、TA AIDの8ビット、CDOWNの11ビット、RFチェーンIDの2ビット、ショートSSWフィードバックの11ビット、方向の1ビット、1ビットの予約、およびFCSに4ビットを含む、請求項23に記載の第1の局。
【請求項２７】
受信する前記ステップに続いて、前記RA AIDおよび前記TA AIDのうちの1つと前記局の以前に帰属したAIDとの比較に基づいて前記第2の局の前記AIDを決定するステップ、をさらに含む、請求項23に記載の第1の局。
【請求項２８】
前記第2の局がショートSSWフレーム能力で使用可能であるとさらに判断し、他方の局との前記SLSプロセスのために非ショートSSWフレームフォーマットではなくショートSSWフレームフォーマットを選択する、請求項23に記載の第1の局。
【請求項２９】
前記第1の局がEDMG局であり、前記第2の局においてショートSSWフレーム能力を使用可能にするかどうかが、前記第2の局がEDMG局であるかどうかを条件とする、請求項28に記載の第1の局。
【請求項３０】
前記第1の局が非AP局であり、前記第2の局も非AP局であり、前記第1の局と前記第2の局の両方が基本サービスセット（BSS）においてAP局に関連付けられる、請求項23に記載の第1の局。
【請求項３１】
コンピュータに請求項1から22のいずれか一項に記載の方法を実行させるプログラム。
【請求項３２】
プログラムが記録されたコンピュータ可読記録媒体であって、前記プログラムが、実行されると、コンピュータに請求項1から22のいずれか一項に記載の方法を行わせる、コンピュータ可読記録媒体。
【国際調査報告】
2019516305.tif 000021
2019516305.tif 000022